(57)【要約】【課題】  コンテンツ情報提供サーバから複数のコンテンツ情報の候補を取得した際にも、ユーザが最適なコンテンツ情報の候補を簡単に選択して登録すること。【解決手段】  制御部２は、複数のトラック毎に、コンテンツ情報提供サーバから複数カテゴリのコンテンツ情報の複数の候補を取得して、複数の候補を含む候補リストを生成する。制御部２は、候補リストに含まれる各候補について、アーティスト名及びアルバム名の組合せが、候補リストと当該他のトラックの候補リストとに含まれる数を出現回数としてカウントする。制御部２は、候補リストの候補を出現回数に基づいて並べ換える。制御部２は、出現回数に基づいて並べ換えられた候補リストを表示部に表示させる。制御部２は、出現回数に基づいて並べ換えられた候補リストの候補の中から、ユーザ操作によって選択された１つの候補のコンテンツ情報をトラックに対応付けて登録する。【選択図】図１３
2010113627.tif 000002
【特許請求の範囲】
【請求項１】
複数のコンテンツにアーティスト名及びアルバム名を少なくとも含む複数カテゴリのコンテンツ情報を登録するコンテンツ情報登録装置であって、
前記複数のコンテンツ毎に、コンテンツ情報提供サーバから複数カテゴリのコンテンツ情報の複数の候補を取得して、複数の候補を含む候補リストを生成する候補リスト生成手段と、
前記候補リストに含まれる各候補について、アーティスト名及びアルバム名の組合せが、前記候補リストと当該他のコンテンツの前記候補リストとに含まれる数を出現回数としてカウントする出現回数カウント手段と、
前記候補リストの候補を出現回数に基づいて並べ換えるソート手段と、
出現回数に基づいて並べ換えられた前記候補リストを表示部に表示させる表示制御手段と、
出現回数に基づいて並べ換えられた前記候補リストの候補の中から、ユーザ操作によって選択された１つの候補のコンテンツ情報を前記コンテンツに対応付けて登録するコンテンツ情報登録手段とを備える、コンテンツ情報登録装置。
【請求項２】
前記候補リストの中からユーザ操作によって選択された候補のアーティスト名及びアルバム名の組合せについて、ユーザ操作による選択回数を管理する選択回数管理手段をさらに備え、
前記ソート手段が、前記候補リストの候補を出現回数および選択回数に基づいて並べ換える、請求項１に記載のコンテンツ情報登録装置。
【請求項３】
複数のコンテンツにアーティスト名及びアルバム名を少なくとも含む複数カテゴリのコンテンツ情報を登録するコンテンツ情報登録装置であって、
前記複数のコンテンツ毎に、コンテンツ情報提供サーバから複数カテゴリのコンテンツ情報の複数の候補を取得して、複数の候補を含む候補リストを生成する候補リスト生成手段と、
前記候補リストに含まれる各候補について、アーティスト名及びアルバム名の組合せが、前記候補リストと当該他のコンテンツの前記候補リストとに含まれる数を出現回数としてカウントする出現回数カウント手段と、
前記候補リストに含まれる各候補の中から、出現回数の最も多い候補を１つ選択する選択手段と、
前記選択手段によって選択された１つの候補のコンテンツ情報を前記コンテンツに対応付けて登録するコンテンツ情報登録手段とを備える、コンテンツ情報登録装置。
【請求項４】
請求項１〜３のいずれかに記載のコンテンツ情報登録装置の各手段をコンピュータに実行させる、コンテンツ情報登録プログラム。
【発明の詳細な説明】
【技術分野】
【０００１】
本発明は、複数のコンテンツにアーティスト名及びアルバム名を少なくとも含む複数カテゴリのコンテンツ情報を登録するコンテンツ情報登録装置及びそのプログラムに関する。
【背景技術】
【０００２】
近年、ＨＤＤ（Hard Disk Drive）を備え、ＨＤＤに記録されている複数のコンテンツ（例えば曲ファイル）の中から選択された曲ファイルを再生する再生装置が普及してきている。また、複数の曲ファイルの中からユーザが所望する曲ファイルを選択するために、複数の曲ファイルに対してトラック名（曲名、タイトル）、アルバム名、アーティスト名等の複数カテゴリのコンテンツ情報が登録される。再生装置は、インターネット等のネットワークを経由して外部のコンテンツ情報提供サーバにアクセスし、コンテンツ情報提供サーバから曲ファイルのコンテンツ情報を取得する。ここで、コンテンツ情報提供サーバから取得するコンテンツ情報は、１つの曲ファイルに対して複数の候補が存在する場合がある。この場合に、複数のコンテンツ情報の候補の中からユーザ操作によって１つのコンテンツ情報を選択する必要が生じ、その操作が非常に煩雑であるという問題がある。また、誤ったコンテンツ情報の候補を選択してしまった場合には、その後、ＨＤＤに記録された曲ファイルからその誤ったコンテンツ情報が登録された曲ファイルを探すことが非常に困難になる。
【０００３】
【特許文献１】特開２００８−２５０７８１号
【発明の開示】
【発明が解決しようとする課題】
【０００４】
本発明は上記従来の課題を解決するためになされたものであり、その目的は、コンテンツ情報提供サーバから複数のコンテンツ情報の候補を取得した際にも、ユーザが最適なコンテンツ情報の候補を簡単に選択して登録することができるコンテンツ情報登録装置を提供することである。
【課題を解決するための手段】
【０００５】
本発明の好ましい実施形態によるコンテンツ情報登録装置は、複数のコンテンツにアーティスト名及びアルバム名を少なくとも含む複数カテゴリのコンテンツ情報を登録するコンテンツ情報登録装置であって、前記複数のコンテンツ毎に、コンテンツ情報提供サーバから複数カテゴリのコンテンツ情報の複数の候補を取得して、複数の候補を含む候補リストを生成する候補リスト生成手段と、前記候補リストに含まれる各候補について、アーティスト名及びアルバム名の組合せが、前記候補リストと当該他のコンテンツの前記候補リストとに含まれる数を出現回数としてカウントする出現回数カウント手段と、前記候補リストの候補を出現回数に基づいて並べ換えるソート手段と、出現回数に基づいて並べ換えられた前記候補リストを表示部に表示させる表示制御手段と、出現回数に基づいて並べ換えられた前記候補リストの候補の中から、ユーザ操作によって選択された１つの候補のコンテンツ情報を前記コンテンツに対応付けて登録するコンテンツ情報登録手段とを備える。
【０００６】
複数のコンテンツに対して同時にコンテンツ情報を登録する場合、同一のアーティスト名及びアルバム名が登録される可能性が高い。これは、例えば１枚のＣＤの全曲データについてコンテンツ情報を登録する場合、ＣＤの全曲データについてのアーティスト名及びアルバム名は通常は共通しているからである。その結果、出現回数に基づいて、コンテンツ情報の候補を並べ換える（例えば、出現回数が多い順に候補を並べ換える）ことによって、ユーザは非常に容易に最適なコンテンツ情報の候補を探し出すことができる。
【０００７】
好ましい実施形態においては、前記候補リストの中からユーザ操作によって選択された候補のアーティスト名及びアルバム名の組合せについて、ユーザ操作による選択回数を管理する選択回数管理手段をさらに備え、前記ソート手段が、前記候補リストの候補を出現回数および選択回数に基づいて並べ換える。
【０００８】
複数の候補の中からユーザによって選択された候補はユーザが登録を所望しているコンテンツ情報であると考えられる。従って、出現回数に加えて選択回数にも基づいてコンテンツ情報の候補を並べ換えることによって、ユーザはさらに容易に最適なコンテンツ情報の候補を探し出すことができる。
【０００９】
本発明の別の好ましい実施形態によるコンテンツ情報登録装置は、複数のコンテンツにアーティスト名及びアルバム名を少なくとも含む複数カテゴリのコンテンツ情報を登録するコンテンツ情報登録装置であって、前記複数のコンテンツ毎に、コンテンツ情報提供サーバから複数カテゴリのコンテンツ情報の複数の候補を取得して、複数の候補を含む候補リストを生成する候補リスト生成手段と、前記候補リストに含まれる各候補について、アーティスト名及びアルバム名の組合せが、前記候補リストと当該他のコンテンツの前記候補リストとに含まれる数を出現回数としてカウントする出現回数カウント手段と、前記候補リストに含まれる各候補の中から、出現回数の最も多い候補を１つ選択する選択手段と、前記選択手段によって選択された１つの候補のコンテンツ情報を前記コンテンツに対応付けて登録するコンテンツ情報登録手段とを備える。
【００１０】
この場合、ユーザによる選択操作を要することなく、最適なコンテンツ情報の候補を自動的に選択して、登録することができる。
【発明の効果】
【００１１】
コンテンツ情報提供サーバから複数のコンテンツ情報の候補を取得した際にも、ユーザが最適なコンテンツ情報の候補を簡単に選択して登録することができる。
【発明を実施するための最良の形態】
【００１２】
以下、本発明の好ましい実施形態について、図面を参照して具体的に説明するが、本発明はこれらの実施形態には限定されない。
【００１３】
図１は、本発明の好ましい実施形態によるコンテンツ情報登録装置が適用される再生装置１の構成を示すブロック図である。コンテンツは、映像データ、曲（音楽）データ、又は、静止画データ等の総称であるが、本例では曲ファイル（トラックともいう。）である。再生装置１は、ＨＤＤ（Hard Disk Drive）５に記録されている複数の曲ファイルの中から選択された曲ファイルを再生部６において再生し、図示しないスピーカーから音声を出力する。
【００１４】
再生装置１は、制御部２、ＲＡＭ３、ＲＯＭ４、ＨＤＤ等のコンテンツ記憶部５、再生部６、操作部７、表示部８、ＣＤ−ＲＯＭドライブ９、及び、通信部１０を備える。これらは、バスを介して互いに接続されている。
【００１５】
通信部１０は、外部のコンテンツ情報提供サーバにインターネット等の電気通信回線を介して接続し、ＣＤ−ＲＯＭドライブ９に挿入されているＣＤの曲ファイル、又は、ＨＤＤ５に記録されている曲ファイルのコンテンツ情報を取得する。コンテンツ情報は複数カテゴリ存在し、例えば、トラック名（曲名、タイトル）、アルバム名、アーティスト名、ジャンル名、リリース年等を含む。
【００１６】
コンテンツ情報提供サーバからコンテンツ情報を取得する場合、通信部１０は、ＣＤの目次情報であるＴＯＣ（table of contents）情報、又は、曲ファイルの先頭から所定量のデータをコンテンツ情報提供サーバに送信する。コンテンツ情報提供サーバでは、ＴＯＣ情報又は曲ファイルの先頭から所定量のデータに対応付けて複数カテゴリのコンテンツ情報の複数の候補をデータベースで管理しており、検索したコンテンツ情報を再生装置１に返信する。
【００１７】
ＨＤＤ５には複数のコンテンツ（曲ファイル）が記録されている。ＨＤＤ５には、ＣＤ−ＲＯＭドライブ９に挿入されたＣＤから曲ファイルがリッピングされる、又は、通信部１０を介して外部から曲ファイルを取得して記録される。ＣＤ−ＲＯＭドライブ９に挿入されたＣＤからＨＤＤ５に曲ファイルがリッピングされる時、又は、リッピングされた後に、曲ファイルに関する複数のコンテンツ情報の候補がコンテンツ情報提供サーバから取得される。ＨＤＤ５に記録されている曲ファイルは、制御部２の指示によって読み出され、再生部６によって再生される。
【００１８】
ＨＤＤ５又はメモリには、曲リスト、候補リスト、及び、出現回数リスト等の各種リストが格納される。図２は、コンテンツ情報が登録されるトラックの一覧である曲リストを示す図である。図２は、ＣＤ−ＲＯＭドライブ９に３曲のトラックが収録されたＣＤが挿入された場合の曲リストを示している。図２におけるアルバム名、アーティスト名及びトラック名は、説明の便宜上登録された状態を示しているが、コンテンツ情報提供サーバからコンテンツ情報が取得されて登録されるまでは未登録状態である。曲リストは、ＣＤ−ＲＯＭドライブ９にＣＤが挿入されたとき、又は、ＨＤＤ５からコンテンツ情報を登録すべきトラックが選択されたときに生成される。
【００１９】
図３は、トラック名ＸＸ（トラック番号１）のトラックについてコンテンツ情報提供サーバから取得したコンテンツ情報の候補が登録される候補リストである。候補リストには、７つの候補が登録されており、各候補には、アルバム名、アーティスト名、トラック名が含まれている。トラック名ＸＸのトラックについてコンテンツ情報を登録する場合には、表示部８に候補リスト内の候補が表示され、ユーザ操作によって選択された１つの候補のコンテンツ情報が登録される。同様に、図４は、トラック名ＹＹ（トラック番号２）のトラックに関するコンテンツ情報の候補を示す候補リストであり、図５は、トラック名ＺＺ（トラック番号３）のトラックに関するコンテンツ情報の候補を示す候補リストである。
【００２０】
図６は、図３に示すトラック名ＸＸのトラックの候補リスト内の各候補について、図２の曲リスト内の全トラックに関する候補リスト（図３〜図５）における出現回数が登録される出現回数リストである。出現回数は、図２の曲リスト内の全トラックに関する候補リストにおいて、同じアーティスト名及びアルバム名の組合せが含まれている回数である。例えば、候補１のアルバム名及びアーティスト名の組合せはトラック名ＸＸの候補リストにしか含まれていないので出現回数は１であり、候補２のアルバム名及びアーティスト名の組合せはトラック名ＸＸの候補リストとトラック名ＹＹの候補リストとに含まれているので出現回数は２である。同様に、図７は、トラック名ＹＹのトラックの候補リスト（図４）内の各候補について、図２の曲リスト内の全トラックに関する候補リスト（図３〜図５）における出現回数が登録される出現回数リストである。図８は、トラック名ＺＺのトラックの候補リスト（図５）内の各候補について、図２の曲リスト内の全トラックに関する候補リスト（図３〜図５）における出現回数が登録される出現回数リストであ。
【００２１】
図１に戻り、制御部２は、再生装置１全体を制御するものであり、ＲＯＭ４またはＨＤＤ５に格納されたコンテンツ情報登録プログラムをＲＡＭ３内に読み出して実行することにより、後述する各処理を実行する。
【００２２】
制御部２は、図３〜図５の各候補リストを生成し、その後、図６〜図８の各出現回数リストを生成する。また、制御部２は、図６〜図８の各出現回数リストを出現回数が多い順に並べ換えて、図９〜図１１に示す候補リストを生成する。制御部２は、例えば、図９〜図１１に示す出現回数が多い順に並べ換えられた候補リストを表示部８に表示させ、ユーザに所望のコンテンツ情報の候補を選択させる。制御部２は、ユーザ操作によって選択されたコンテンツ情報を、図２の曲リストにトラック番号（または曲ＩＤ等）に対応付けて登録する。
【００２３】
ユーザは、アーティスト名やアルバム名を知らないために、コンテンツ情報の複数の候補の中からどの候補を選択したら良いかを判断できない場合がある。そこで、本実施形態では、コンテンツ情報の複数の候補を、出現回数の多い順に並べ換えて表示している。出現回数が多い候補は、曲リスト内の複数のトラックに共通するコンテンツ情報であるので、適切なコンテンツ情報である可能性が高い。従って、ユーザは最上段に表示されている候補を選択するだけで、適切なコンテンツ情報を容易に選択することができる。
【００２４】
操作部７は、ユーザからの指示を受け付けて制御部２に送信するものであり、操作ボタンやリモコン等である。表示部８は、ＬＣＤ（液晶ディスプレイ）やＦＬ管等であり、制御部２の指示に基づいて、候補リストや、再生中のトラックのコンテンツ情報等を表示する。再生部６は、ＨＤＤ５から読み出された曲ファイルを再生（例えば、デコード、Ｄ／Ａ変換、増幅処理等）する。
【００２５】
以上の構成を有する再生装置１について、その動作を説明する。ここでは、図２の曲リストの各トラックに対してコンテンツ情報の候補リストを表示して、ユーザに候補を選択させ、選択された候補をトラックに対応付けて登録する処理を説明する。
【００２６】
［候補リスト生成処理］
図１２は本例の処理を示すフローチャートである。ユーザ操作によってＣＤ−ＲＯＭドライブ９にＨＤＤ５にリッピングすべき所望のＣＤが挿入される。ＣＤには図２の曲リストで表されるトラックが含まれているとする。制御部２は、図２の曲リスト内のトラックの内、候補リストを生成する対象のトラックとして、最初のトラック（トラック番号１）を選択する（Ｓ１）。続いて、制御部２は、選択したトラックの曲データの内、先頭から所定量のデータ（例えば１０秒分）をＣＤから読み出して通信部１０を介して外部のコンテンツ情報提供サーバに送信する。その結果、コンテンツ情報提供サーバから、選択したトラックのコンテンツ情報（アルバム名、アーティスト名、トラック名）の複数の候補を取得する（Ｓ２）。なお、ＣＤから曲データをＨＤＤ５にリッピングした後に、ユーザ操作によって曲が選択されて曲リストが生成され、ＨＤＤ５に記録されている曲データの先頭から所定量のデータがコンテンツ情報提供サーバに送信されてもよい。
【００２７】
制御部２は、取得した複数のコンテンツ情報の候補に基づいて、図３に示すようにトラック１に関する候補リストを生成する（Ｓ３）。候補リストには、コンテンツ情報提供サーバから送信されてきた順番に複数のコンテンツ情報の候補が列挙されている。
【００２８】
続いて、制御部２は、選択したトラックが図２の曲リストの最後のトラックであるか否かを判断する（Ｓ４）。すなわち、図２の曲リストの全トラックについて候補リストを生成し終えたか否かを判断する。未だ全トラックについて候補リストを生成し終えていない場合（Ｓ４でＮＯ）、制御部２は、候補リストを生成する対象のトラックを図２の曲リスト内の次のトラックに進めて（Ｓ５）、Ｓ２に戻る。その結果、図２の曲リスト内の全トラックについてＳ２〜Ｓ３の処理を実行し、図３〜図５のように各トラックに対して候補リストを生成する。そして、全トラックについて候補リストを生成し終えると（Ｓ４でＹＥＳ）、処理を終了する。
【００２９】
［コンテンツ情報登録処理］
図１３は、コンテンツ情報登録処理を示すフローチャートである。図１３の処理は、図２の曲リストの全トラックに対して実行される。ここでは、代表例として、図２の曲リストのトラック１のコンテンツ情報を登録する処理を説明するが、他のトラックについても同様である。制御部２は、トラック１に関する図３の候補リストにおいて、出現回数の項目を新規作成することにより、図６に示す出現回数リストを生成する。そして、全候補についての出現回数を１に設定する（Ｓ１１）。制御部２は、図６の出現回数リストの中から、出現回数をカウントする対象として、最初の候補（候補１）のコンテンツ情報を選択する（Ｓ１２）。ここで、選択されるコンテンツ情報は、複数カテゴリのコンテンツ情報の内、例えば、アルバム名およびアーティスト名である。図６においては、アルバム名Ａおよびアーティスト名ａが選択される。
【００３０】
続いて、制御部２は、図２の曲リスト内の他のトラック（トラック２およびトラック３）についての候補リスト（図４、図５参照）に、Ｓ１２で選択した候補のコンテンツ情報（アルバム名およびアーティスト名の組合せ）と同じアルバム名およびアーティスト名の組合せが候補として含まれているか否かを判断する（Ｓ１３）。
【００３１】
図４、図５の候補リストに、Ｓ１２で選択した候補のアルバム名およびアーティスト名の組合せと同じアルバム名およびアーティスト名の組合せが候補として含まれていない場合（Ｓ１３でＮＯ）、Ｓ１５に進む。一方、図４、図５の候補リストに、Ｓ１２で選択した候補のアルバム名およびアーティスト名の組合せと同じアルバム名およびアーティスト名の組合せが候補として含まれている場合（Ｓ１３でＹＥＳ）、制御部２は、Ｓ１２で選択した候補のアルバム名およびアーティスト名の組合せと同じアルバム名およびアーティスト名の組合せが候補として含まれているトラックの数をカウントし、図６の出現回数リストのＳ１２で選択した候補の出現回数にその数を加算する（Ｓ１４）。
【００３２】
例えば、図６の出現回数リストの最初の候補であるアルバム名Ａおよびアーティスト名ａについては、図４、図５の候補リストには含まれていないので、Ｓ１３でＮＯと判断されて、Ｓ１５に進む。その結果、アルバム名Ａおよびアーティスト名ａの出現回数は１のままである。
【００３３】
続いて、制御部２は、図６の出現回数リストで選択された候補が最後の候補のコンテンツ情報であるか否かを判断する（Ｓ１５）。つまり、図６の出現回数リスト内の全ての候補について出現回数のカウントを終了したか否かを判断する。出現回数リスト内の全ての候補について出現回数のカウントを終了していない場合（Ｓ１５でＮＯ）、制御部２は、出現回数をカウントする対象の候補を図６の出現回数リスト内の次の候補に進めて（Ｓ１６）、Ｓ１３に戻る。これにより、出現回数リスト内の全ての候補について出現回数のカウントを実行する。
【００３４】
例えば、図６の出現回数リストにおいて、候補２であるアルバム名Ｂおよびアーティスト名ｂについては、図４の候補リストに同一のものが含まれているので、Ｓ１３でＹＥＳと判断されて、図６に示すように、候補２のアルバム名Ｂおよびアーティスト名ｂの出現回数を１加算して２に更新する。同様に、図６の出現回数リストにおいて、候補７であるアルバム名Ｇおよびアーティスト名ｇについては、図４および図５の候補リストに同一のものが含まれているので、Ｓ１３でＹＥＳと判断されて、図６に示すように、候補７のアルバム名Ｇおよびアーティスト名ｇの出現回数を２加算して３に更新する。
【００３５】
出現回数リスト内の全ての候補について出現回数のカウントを終了した場合（Ｓ１５でＹＥＳ）、図６に示す出現回数リストが完成する。その後、制御部２は、図６の出現回数リストの各候補を出現回数が多い順に並べ換えることによって、図９に示すように、出現回数順に並べ換えられたトラック１の候補リストを生成する（Ｓ１７）。なお、出現回数が同じ候補については、特に限定されないが、図６に示す出現回数リストの順番のままでよい。そして、制御部２は、図９の候補リストを表示部８に表示させ、ユーザに所望の候補のコンテンツ情報を選択させる。
【００３６】
制御部２は、ユーザ操作によって図９の候補リストの中から１つの候補が選択されたか否かを判断する（Ｓ１８）。１つの候補のコンテンツ情報が選択された場合（Ｓ１８でＹＥＳ）、制御部２は、選択された候補のコンテンツ情報（アルバム名、アーティスト名、トラック名）をトラック１のコンテンツ情報として図２の曲リストに登録する（Ｓ１９）。出現回数順に候補がソートされているので、ユーザは候補リストの最上段に表示されている候補１を選択することによって、最適なコンテンツ情報を選択することができる。従って、ユーザが最適なコンテンツ情報の候補を選択する操作を非常に簡単化することができる。
【００３７】
なお、図２の曲リストのトラック２、トラック３についても同様に、図７、図８に示す出現回数リストが生成される。その後、図１０、図１１に示す出現回数順に候補が並べ換えられた候補リストが生成され、表示部８に表示され、ユーザ操作によって１つの候補のコンテンツ情報が選択され、図２の曲リストに登録される。
【００３８】
なお、図１３のＳ１７〜Ｓ１９の代わりに、図１４のＳ２０に示すように、制御部２が出現回数リストの中から最も出現回数が多い候補を１つ選択し、自動的に、図２の曲リストの選択されたトラックのコンテンツ情報として登録するようにしてもよい。同様に、最も出現回数が多い候補が複数存在する場合には、特に限定されないが、出現回数リストにおいてより上段に存在する候補を選択すればよい。
【００３９】
次に、本発明の別の好ましい実施形態を説明する。本例では、ＨＤＤ５に図１５に示す選択回数リストがさらに格納されている。選択回数リストは、上記の候補リストから候補がユーザ操作によって選択された回数を管理するリストである。選択回数リストは、アーティスト名及びアルバム名の組合せに対応付けて、ユーザ操作によって選択された回数が登録されている。図１６に示すように、図９〜図１１に示す候補リストが表示部８に表示され、ユーザ操作によって所望の候補が選択されたとき（Ｓ２１でＹＥＳ）、制御部２は、選択回数リストにおいて、選択された候補のアーティスト名及びアルバム名の組合せの選択回数を１増加させる（Ｓ２２）。なお、選択回数リストに、選択された候補のアーティスト名及びアルバム名の組合せが存在しない場合、アーティスト名及びアルバム名の組合せを選択回数リストに新たに登録して、選択回数を１に設定する。
【００４０】
図１７は、本例のコンテンツ情報登録処理を示すフローチャートであり、図１３のＳ１７がＳ３１に変更されている。Ｓ３１において、制御部２は、出現回数及び選択回数に基づいて、候補リストの各候補を並べ換える。詳細には、図１３と同様にまずは出現回数が多い順に候補を並べ換えるが、出現回数が同じ候補については、選択回数が多い方が候補リストの上段に来るように並べ換える。例えば、図１８に示すように、アルバム名Ｂ、アーティスト名ｂ、トラック名ＢＢの候補と、アルバム名Ｇ、アーティスト名ｇ、トラック名ＸＸの候補との出現回数が共に３であり、図１５に示すように、アルバムＢおよびアーティストｂの選択回数が、アルバムＧおよびアーティストｇの選択回数よりも多い場合、図１８に示すように、アルバムＢ、アーティストｂ、トラック名ＢＢの候補がより上段に表示される。
【００４１】
ユーザ操作による選択回数が多いアルバム名およびアーティスト名の組合せは、ユーザがそのアルバム名およびアーティスト名の組合せで特定されるＣＤを所有している可能性が高いので、選択回数が多いアルバム名およびアーティスト名の組合せが含まれる候補を候補リストの上段に表示することによって、ユーザにより最適なコンテンツ情報を選択させることができる。なお、上記の処理に限定されず、候補を最初に選択回数に基づいて並べ換えた後、選択回数が同じ場合に出現回数によって並べ換えてもよい。
【００４２】
以上、本発明の好ましい実施形態を説明したが、本発明はこれらの実施形態には限定されない。本発明は、上記のコンテンツ情報登録装置を動作させるためのコンピュータプログラムまたはそのコンピュータプログラムを記録した記録媒体という形態で提供されてもよい。
【産業上の利用可能性】
【００４３】
本発明はＨＤＤレコーダやＰＣ等に好適に適用され得る。
【図面の簡単な説明】
【００４４】
【図１】本発明の好ましい実施形態による再生装置１の構成を示すブロック図である。
【図２】コンテンツ情報を登録すべきトラックの曲リストを示す図である。
【図３】トラック１の候補リストを示す図である。
【図４】トラック２の候補リストを示す図である。
【図５】トラック３の候補リストを示す図である。
【図６】トラック１の出現回数リストを示す図である。
【図７】トラック２の出現回数リストを示す図である。
【図８】トラック３の出現回数リストを示す図である。
【図９】出現回数順に並べられたトラック１の候補リストを示す図である。
【図１０】出現回数順に並べられたトラック２の候補リストを示す図である。
【図１１】出現回数順に並べられたトラック３の候補リストを示す図である。
【図１２】候補リスト生成処理を示すフローチャートである。
【図１３】コンテンツ情報登録処理を示すフローチャートである。
【図１４】コンテンツ情報登録処理の変形例を示すフローチャートである。
【図１５】選択回数リストを示す図である。
【図１６】選択回数カウント処理を示すフローチャートである。
【図１７】コンテンツ情報登録処理の変形例を示すフローチャートである。
【図１８】図１７の処理の説明で用いられる出現回数順に並べられた候補リストを示す図である。
【符号の説明】
【００４５】
１          再生装置
２          制御部
３          ＲＡＭ
４          ＲＯＭ
５          ＨＤＤ
６          再生部
７          操作部
８          表示部
９          ＣＤ−ＲＯＭドライブ
１０        通信部
【図１】
2010113627.tif 000003
【図２】
2010113627.tif 000004
【図３】
2010113627.tif 000005
【図４】
2010113627.tif 000006
【図５】
2010113627.tif 000007
【図６】
2010113627.tif 000008
【図７】
2010113627.tif 000009
【図８】
2010113627.tif 000010
【図９】
2010113627.tif 000011
【図１０】
2010113627.tif 000012
【図１１】
2010113627.tif 000013
【図１２】
2010113627.tif 000014
【図１３】
2010113627.tif 000015
【図１４】
2010113627.tif 000016
【図１５】
2010113627.tif 000017
【図１６】
2010113627.tif 000018
【図１７】
2010113627.tif 000019
【図１８】
2010113627.tif 000020